(57)【要約】【解決手段】  歩行・運動時における靴下の接地部分であって、足指の付け根が位置する付近とかかと部とをパイル編みとし、また、土踏まず部をメッシュ編みとする。前記パイル編み部分及びメッシュ編み部分以外の底部分を平編みとする。この平編み部分のうち、つま先部を除く部分において、足指の付け根が位置する付近のパイル編み部分から少なくとも土踏まず部のメッシュ編み部分に至るまでを通気路となるメッシュ編みとする。【効果】  蹴り出し時と歩行接地時に最も圧力の掛かる部分の衝撃が緩和されるので、長時間の歩行・運動による疲労が軽減される。土踏まず部のメッシュ編み組織により通気性が向上する。歩行・運動時の足のムレをメッシュ編み組織の通気路を経て土踏まず部のメッシュ編み部分から放出することができるので、足のムレを解消できる。【選択図】  図１
0003116039.tif 000002
【実用新案登録請求の範囲】
【請求項１】
歩行・運動時における靴下の接地部分であって、足指の付け根が位置する付近とかかと部とをパイル編みとし、また、土踏まず部をメッシュ編みとし、前記パイル編み部分及びメッシュ編み部分以外の底部分を平編みとしたことを特徴とする靴下。
【請求項２】
つま先部を除く平編み部分において、足指の付け根が位置する付近のパイル編み部分から少なくとも土踏まず部のメッシュ編み部分に至るまでを通気路となるメッシュ編みとしたことを特徴とする請求項１記載の靴下。
【請求項３】
つま先部分を足のつま先に類似する形状とするとともに、リングトウ部分のうち足の親指が位置する部分を他の部分よりコース密度を増やして編み立てたことを特徴とする請求項１又は２記載の靴下。
【請求項４】
足首部に締付部が周設されていることを特徴とする請求項１〜３のいずれかに記載の靴下。
【請求項５】
土踏まず部とかかと部との境界線を含む位置に締付部が周設されている請求項１〜４のいずれかに記載の靴下。
【考案の詳細な説明】
【技術分野】
【０００１】
本考案は、歩行・運動時における足への衝撃を緩和するとともに、足のムレ感を解消することができ、快適に歩行・運動することのできる靴下に関する。
【背景技術】
【０００２】
従来、少なくとも靴下の底部分であるつま先部をパイル編みとしたものが提案されている（例えば、特許文献１〜３参照）。
【０００３】
【特許文献１】特許第３３１４０７１号公報
【０００４】
【特許文献２】特開２０００−３４５４０４０号公報
【０００５】
【特許文献３】登録実用新案第３０５７１５３号公報
【考案の開示】
【考案が解決しようとする課題】
【０００６】
しかしながら、つま先部は本来歩行・運動時に衝撃が加わる部分ではない。従って、衝撃の緩和を第一の機能とする「パイル編み組織」をつま先部に設ける意味がないだけでなく、パイル編みによる通気性の欠如により足指間のムレ感が増すという問題がある。
【０００７】
そこで、本考案では、歩行・運動時に真に衝撃が加わる部分を的確にパイル編み組織とし、効率良く衝撃を緩和するとともに、通気性を向上させ得るようにしたものである。また、本考案は、足裏部分のムレを放出させることができるようにしたものである。また、本考案は、足指を圧迫しないように工夫したものである。さらに、本考案は、靴下がズレ落ちるのを防止し得るようにしたものである。
【課題を解決するための手段】
【０００８】
このような目的を達成するために、本考案では、歩行・運動時における靴下の接地部分であって、足指の付け根が位置する付近とかかと部とをパイル編みとし、また、土踏まず部をメッシュ編みとし、前記パイル編み部分及びメッシュ編み部分以外の底部分を平編みとする。このようにすると、蹴り出し時に最も圧力の掛かる足指の付け根付近の衝撃がパイル編み組織で緩和され、また、歩行接地時に最も圧力の掛かるかかとの衝撃がパイル編み組織で緩和されるとともに、土踏まず部のメッシュ編み組織により通気性が向上する。
【０００９】
なお、足指の付け根が位置する付近１とかかと部２のパイル編み部分Ｐに隣接する部分、あるいは、これらパイル編み部分Ｐ以外の部分は、平編みとなっているから、靴下の足底部分として必要な耐久性を持ち合わせている。
【００１０】
つま先部を除く平編み部分において、足指の付け根が位置する付近のパイル編み部分から少なくとも土踏まず部のメッシュ編み部分に至るまでを通気路となるメッシュ編みとしておくことが望ましい。このようにすると、歩行・運動時の足のムレをメッシュ編み組織の通気路を経て土踏まず部のメッシュ編み部分から放出することができる。
【００１１】
つま先部分を足のつま先に類似する形状とするとともに、リングトウ部分のうち足の親指が位置する部分を他の部分よりコース密度を増やして編み立てることが望ましい。この場合には、つま先部分が足の形に合っており、しかも、リングトウ部分のうち足の親指が位置する部分を他の部分よりコース密度を増やして編み立ててあるので、足指を圧迫することがない。
【００１２】
足首部に締付部が周設されていることが望ましい。この場合には、かかとの上部で足首に靴下が締め付けられるので、その部分でのフィット性が向上し、靴下のズレ落ちを防止できる。
【００１３】
土踏まず部とかかと部との境界線を含む位置に、締付部が周設されていることが望ましい。この場合には、足の土踏まず付近に靴下が締め付けられるので、その付近でのフィット性が向上し、靴下のズレ落ちを防止できる。足首部に締付部を周設する技術と組み合わせると、靴下のズレ落ち防止の面でより効果的である。
【考案の効果】
【００１４】
請求項１記載の靴下を履いた場合には、蹴り出し時と歩行接地時に最も圧力の掛かる部分の衝撃が緩和されるので、長時間の歩行・運動による疲労が軽減されるとともに、土踏まず部のメッシュ編み組織により通気性が向上するという利点がある。
【００１５】
請求項２記載の靴下を履いた場合には、歩行・運動時の足のムレをメッシュ編み組織の通気路を経て土踏まず部のメッシュ編み部分から放出することができるので、足のムレを解消できるという利点がある。
【００１６】
請求項３記載の靴下を履いた場合には、足指を圧迫することがないという利点がある。
【００１７】
請求項４記載の靴下を履いた場合には、足首部分でのフィット性が向上し、靴下のズレ落ちを防止できるという利点がある。
【００１８】
請求項５記載の靴下を履いた場合には、足の土踏まず付近でのフィット性が向上し、靴下のズレ落ちを防止できるという利点がある。足首部に締付部を周設する技術と組み合わせると、靴下のズレ落ち防止の面でより効果的である。
【考案を実施するための最良の形態】
【００１９】
本考案に係る靴下の一例を、図面を参照しながら詳細に説明する。図１に示すように、歩行・運動時における靴下の接地部分であって、足指の付け根が位置する付近１とかかと部２とをパイル編みＰとし、また、土踏まず部３をメッシュ編みＭとする。そして、前記パイル編みＰ部分及びメッシュ編みＭ部分以外の底部分を平編みＰ’とする。
【００２０】
靴下の底部分がこのようになっていると、蹴り出し時に最も圧力の掛かる足指の付け根付近の衝撃がパイル編み組織Ｐで緩和され、また、歩行接地時に最も圧力の掛かるかかとの衝撃がパイル編み組織Ｐで緩和される。また、土踏まず部３のメッシュ編み組織Ｍにより通気性が向上する。なお、土踏まず部３は歩行・運動時に圧力が掛かりにくいため、この部分を耐久性の面で劣るメッシュ編み組織としても、靴下を損傷させることはないといっても良い。
【００２１】
左右の足指にそれぞれ合わせるために、ここに示す靴下は左右に編み分けられている。図１においてＲで示すのが右足用の靴下、Ｌで示すのが左足用の靴下で、左右対称的となるように編まれている。従って、上述した部分におけるパイル編み組織Ｐ、メッシュ編み組織Ｍの配置状態も左右対称的となり、また、以下で詳しく説明する靴下のつま先部分の形及び以下に示す部分における各編み組織の配置状態も左右対称的となる。
【００２２】
ここに示す靴下は、つま先部４を除く平編み部分Ｐ’において、足指の付け根が位置する付近１のパイル編み部分Ｐから土踏まず部３のメッシュ編み部分Ｍに至るまでを通気路となるメッシュ編みＭ’としてある。この場合には、歩行・運動時の足のムレをメッシュ編み組織Ｍ’の通気路を経て土踏まず部３のメッシュ編み部分Ｍから放出することができる。
【００２３】
また、靴下の土踏まず部３のみならず、土踏まず部３に対して斜め外側で土踏まず部３よりつま先に近い部分５にもメッシュ編み部分Ｍ”が設けられており、通気路となるメッシュ編みＭ’の一部がこのメッシュ編み部分Ｍ”にも達するようにしてある。この場合には、歩行・運動時の足のムレをメッシュ編み組織Ｍ’の通気路を経てこのメッシュ編み部分Ｍ”にも振り分けることができる。
【００２４】
土踏まず部３のメッシュ編み部分Ｍと、土踏まず部３に対して斜め外側で土踏まず部３よりつま先に近い部分５のメッシュ編み部分Ｍ”は、密度の細かいメッシュとし、通気路となるメッシュ編み部分Ｍ’はそれらよりも密度の粗いメッシュとしてある。密度の粗いメッシュで通気路が形成されていると、歩行・運動時の足のムレをメッシュ編み部分Ｍとメッシュ編み部分Ｍ”から放出するための通気路として、最適であるだけでなく、強度的にも優れている。
【００２５】
なお、足指の付け根が位置する付近１とかかと部２のパイル編み部分Ｐに隣接する部分、あるいは、これらパイル編み部分Ｐ以外の部分を必要以上に面積の広いメッシュ編み組織とすることは、靴下の足底部分として必要な耐久性を損なう可能性があるため、好ましくないが、ここでは、パイル編み部分Ｐ以外の部分を平編みとしてあるから、靴下の足底部分として必要な耐久性を充分持ち合わせている。
【００２６】
ここでは、靴下のつま先部分を足のつま先に類似する形状とするとともに、リングトウ部分のうち足の親指が位置する部分６を他の部分よりコース密度を増やして編み立ててある。図１、図２において、つま先側とその反対側に三角形状に突出する部分Ｓが、他の部分よりコース密度を増やして編み立てた部分である。つま先部分が足の形に合っており、しかも、リングトウ部分のうち足の親指が位置する部分６を他の部分よりコース密度を増やして編み立ててあるので、その部分に余裕があって足指を圧迫することがない。
【００２７】
なお、靴下のつま先部分が足のつま先に類似する形状とは、図１に示すように、靴下のつま先部分の凹凸形状が足のつま先の凹凸形状にほぼ一致するような曲線である場合をいう。通常、従来の靴下のつま先部分４’は、図３に示すように、左右とも同一形状の外突弧状であって、左足でも右足でも履くことができるようになっている。この場合には、靴下を履いた時親指側が引っ張られるのみならず、他の部分では足指にフィットしない。これに対して、ここに示す靴下の場合には、リングトウ部分のうち足の親指が位置する部分６に余裕があって、足指、特に、親指側を圧迫することがない。
【００２８】
ここに示す靴下にあっては、図２に示すように、足首部７に第一の締付部Ａが周設されている。この場合には、かかとの上部で足首に靴下が締め付けられるので、その部分でのフィット性が向上し、靴下のズレ落ちを防止できる。
【００２９】
また、ここに示す靴下にあっては、土踏まず部３とかかと部２との境界線を含む位置８に、第二の締付部Ｂが周設されている。この場合には、足の土踏まず付近に靴下が締め付けられるので、その付近でのフィット性が向上し、靴下のズレ落ちを防止できる。足首部に締付部Ａを周設する技術と組み合わせると、靴下のズレ落ち防止の面でより効果的である。
【００３０】
なお、ここに示す靴下にあっては、土踏まず部３のメッシュ編みＭ部分と通気路となるメッシュ編みＭ’部分とが繋がる部分の一部を、パイル編み組織Ｐとしてある。土踏まず部３付近のメッシュ編み部分の一部がパイル編み組織Ｐとなっていると、その付近の耐久性が向上するだけでなく、突出するこのパイル編み組織Ｐで足の土踏まずのツボを押圧することができるので、健康にも寄与することができる。
【００３１】
靴下の素材として、異型断面の化学繊維など吸水速乾性に優れた素材を使用することにより、ムレ感を一層解消することができる。防菌・防臭加工を施した素材を用いると、さらに効果的であり、また、マイクロファイバーを素材として用いると、ソフト感が向上する。
【図面の簡単な説明】
【００３２】
【図１】本靴下の底部分の編み組織の一例を示す平面図で、左足用、右足用それぞれを示す。
【図２】右足用の靴下の斜視図である。
【図３】従来の靴下のつま先部を示す概略図である。
【符号の説明】
【００３３】
１…足指の付け根が位置する付近、２…かかと部、３…土踏まず部、４…つま先部、６…足の親指が位置する部分、Ｐ…パイル編み、Ｐ’…平編み、Ｍ，Ｍ’，Ｍ”…メッシュ編み、Ａ，Ｂ…締付部。
【図１】
0003116039.tif 000003
【図２】
0003116039.tif 000004
【図３】
0003116039.tif 000005